(57)【特許請求の範囲】
【請求項１】
最大周囲３６０°の視野領域を有する全方位画像を撮影する全方位カメラからの全方位画像データのうち所定の一部を中心として、パンおよびチルト駆動による位置制御とズーム駆動による倍率制御とを行うようにズームカメラを駆動制御する制御部と、該全方位カメラで撮影された全方位画像および該ズームカメラで撮影されたズーム画像を表示可能とする表示部とを有しており、
該制御部は、該表示部の表示画面上に表示された全方位画像が円形状である場合、その全方位画像を同心円状で放射状の複数の画像領域に分割する分割部と、該分割部で分割され、該全方位画像が該表示部に表示された複数の画像領域から一つの領域枠または所定数の領域枠と領域番号とで明示された画像領域を、自動により指定可能とするかまたは、手動による該領域番号の操作入力により指定可能とする指定部と、該指定部で指定された画像領域に対して該ズームカメラを所定の位置および倍率に制御するための制御情報に変換する変換部と、該変換部で変換された制御情報に基づいて、該指定部で指定された画像領域を撮影する位置および倍率に該ズームカメラを駆動制御するズームカメラ制御部と、該全方位画像のうち周囲の環境によって不安定に撮影される任意の画像領域を予め無効に設定可能とし、無効に設定した画像領域に対して該指定部による指定を無効にすると共に、該無効に設定した画像領域を識別できるように該表示部に識別表示する無効領域設定部とを備えた複合カメラシステム。
【請求項２】
前記全方位カメラは、放物面状または双曲面状の凸型回転体ミラーおよび魚眼レンズの何れかを用いて全方位画像を投影する光学系を有する請求項１に記載の複合カメラシステム。
【請求項３】
前記全方位画像を複数に分割した各画像領域に対して、前記ズームカメラを所定の位置および倍率に制御するための制御情報を予め設定可能とする制御情報設定部と、予め設定された制御情報を各画像領域の位置に対応して記憶する制御情報テーブルとを更に備え、前記変換部は、前記指定部により指定された画像領域に対する制御情報を該制御情報テーブルまたは／および所定算出手順により求める請求項１に記載の複合カメラシステム。
【請求項４】
前記全方位カメラにより撮影された全方位画像をフレーム単位で順次一時記憶する画像記憶部と、該画像記憶部にフレーム単位で相前後して記憶された全方位画像のパターンマッチングにより移動体の動きを検知する移動体検知部とを更に備え、検知した移動体を前記ズームカメラによりズーム撮影し、その移動体の拡大画像を前記表示部の表示画面上に表示可能とする請求項１に記載の複合カメラシステム。
【請求項５】
前記表示部は、分割した各画像領域を明示する領域枠を全方位画像に付加して表示画面に対して表示可能とする請求項１に記載の複合カメラシステム。
【請求項６】
前記分割部は、分割した各画像領域を明示する領域枠および領域番号を全方位画像に付加して前記表示部の表示画面に対して表示可能とし、前記制御情報設定部は、該領域番号を付加した各画像領域毎に前記ズームカメラを所定の位置および倍率に駆動制御するための制御情報を予め設定可能とする請求項３に記載の複合カメラシステム。
【請求項７】
前記全方位画像に対して少なくとも一つの監視領域を設定可能とする監視領域設定部と、前記移動体が監視領域に侵入したとき、警報情報を出力する警報情報出力部とを更に備え、前記ズームカメラは、監視領域に侵入した移動体をズーム撮影して前記表示部の表示画面に対して表示可能とする請求項４に記載の複合カメラシステム。
【請求項８】
前記全方位カメラおよびズームカメラが有線または無線による通信回線を介して接続されるリモートコントローラを更に備え、該全方位カメラにより撮影された全方位画像と該ズームカメラによりズーム撮影された画像とを該通信回線を介してリモートコントローラに伝送可能とする請求項１に記載の複合カメラシステム。
【請求項９】
前記リモートコントローラは少なくとも前記分割部、指定部および変換部を含む請求項８に記載の複合カメラシステム。
【請求項１０】
最大周囲３６０°の視野領域を有する全方位画像を撮影する全方位カメラからの全方位画像データのうち所定の一部を中心として、位置制御と倍率制御を行うようにズームカメラを駆動制御するズームカメラ制御方法であって、
該全方位カメラで撮影された全方位画像を表示画面上に表示する表示ステップと、表示された全方位画像が円形状である場合、その全方位画像を同心円状で放射状の複数の画像領域に分割する分割ステップと、該分割ステップで分割され、該全方位画像が表示部に表示された複数の画像領域から一つの領域枠または所定数の領域枠と領域番号とで明示された画像領域を、自動により指定可能とするかまたは、手動による該領域番号の操作入力により指定可能とする指定ステップと、指定された画像領域に対して該ズームカメラを所定の位置および倍率に制御するための制御情報に変換する変換ステップと、変換された制御情報に基づいて、該ズームカメラに対して、指定された画像領域を撮影する位置および倍率に駆動制御するズームカメラ制御ステップと、該全方位画像のうち周囲の環境によって不安定に撮影される任意の画像領域を予め無効に設定可能とし、無効に設定した画像領域に対して該指定ステップによる指定を無効にすると共に、該無効に設定した画像領域を識別できるように該表示部に識別表示する無効領域設定ステップとを含むズームカメラ制御方法。
【請求項１１】
全方位カメラにより撮影された全方位画像を表示画面上に表示する表示ステップと、表示された全方位画像が円形状である場合、その全方位画像を同心円状で放射状の複数の画像領域に分割する分割ステップと、該分割ステップで分割され、該全方位画像が表示部に表示された複数の画像領域から一つの領域枠または所定数の領域枠と領域番号とで明示された画像領域を、自動により指定可能とするかまたは、手動による該領域番号の操作入力により指定可能とする指定ステップと、指定された画像領域に対して該ズームカメラを所定の位置および倍率に制御するための制御情報に変換する変換ステップと、変換された制御情報に基づいて、該ズームカメラに対して、指定された画像領域を撮影する位置および倍率に駆動制御するズームカメラ制御ステップと、該全方位画像のうち周囲の環境によって不安定に撮影される任意の画像領域を予め無効に設定可能とし、無効に設定した画像領域に対して該指定ステップによる指定を無効にすると共に、該無効に設定した画像領域を識別できるように該表示部に識別表示する無効領域設定ステップとをコンピュータに実行させるズームカメラ制御プログラム。
【発明の詳細な説明】
【０００１】
【発明の属する技術分野】
本発明は、例えば、最大視野角度３６０°の視野情報を取り込むことが可能な全方位カメラで撮影された全方位画像のうち、自動または手動により指定した画像領域を中心にズームカメラによりズーム撮影する複合カメラシステム、これを用いたズームカメラ制御方法および、これらに用いるズームカメラ制御プログラムに関する。
【０００２】
【従来の技術】
従来、例えば金融機関やスーパーマーケットなどの防犯監視装置として、固定式または首振り式の監視カメラが一般的に知られている。これらの監視カメラによる映像は、通常、管理人が、管理室のモニタ装置などで侵入者や火災などの異常事態を認識し、それに対して緊急処置を行っている。
【０００３】
しかし、管理人が、監視カメラにより撮影した映像をモニタ装置の画面上で監視する監視設備は大規模なものになって、多大なコストを必要とする。このような監視設備であっても、管理人が遠隔地で防犯対象を正確に監視するには不十分なものである。
【０００４】
また、レーザ光や赤外線などを使用し、侵入者が光線を遮断することにより侵入者を検知するセンサや、火災、ガス漏れなどを検知するセンサにより警報を発する防犯監視装置が一般的に知られている。このようなセンサを用いた防犯監視装置により警報を発する場合、その警報によって異常事態の発生の有無は認識できるものの、管理人が視覚で確認していないので、異常事態の程度や詳細な状態など正確な情報把握が困難であった。
【０００５】
一方、近年の犯罪の増加に伴い、遠隔地の管理者が、常時、特別な注意を必要とせず、防犯対象を監視しつつ異常事態の発生を正確に特定できる防犯監視システムが切望されている。
【０００６】
これらの問題を改善するための技術として、例えば、特開平３−８４７００号公報「遠隔監視装置」、特開平４−１７６４８４号公報「遊技場における監視装置」、さらに特開平１１−２５９７７５号公報「監視システム」などが提案されている。
【０００７】
例えば特開平３−８４７００号公報「遠隔監視装置」では、監視地域ブロック内でセンサ群を分散配置してそれぞれの異常事態を検出し、テレビカメラを自動的に異常発生箇所に向け、異常検出信号と、撮影した映像信号とを監視室端末に交換・伝送し、その端末側で異常箇所の画像表示と関連情報とを自動表示させることにより、異常発生箇所の状況把握を確実かつ容易に行うようにしている。
【０００８】
また、特開平４−１７６４８４号公報「遊技場における監視装置」では、異常検知手段による情報の解析から異常状態であると判定した競技機に対して、監視ビデオカメラをその遊技機の設定監視状態にセットして映像情報を画面表示することにより、低廉な設備コストで、遊技機１台毎の監視状態の効率向上を可能としている。
【０００９】
さらに、特開平１１−２５９７７５号公報「監視システム」では、ワイドカメラにより監視エリアの画像を取得し、この取得した画像を平常画像と比較して差異を認識することにより異常事態を検知している。この異常事態が発生した場合には、ワイドカメラによる画像取得と共に、ズームカメラで重要地点の画像を取得し、ワイドカメラとズームカメラによる画像を端末コンピュータに伝送することにより、遠隔地の管理者が監視エリアの異常発生を比較的詳細に認識でき、異常事態の特定を正確に行うことができる。
【００１０】
【発明が解決しようとする課題】
しかしながら、特開平３−８４７００号公報「遠隔監視装置」において、センサ郡を分散配置することは、予めセンサが配置された箇所しか異常を検知することができず、さらに、そのセンサの種類によってはその種類以外の異常は検知できない。また、配置されたセンサ郡の信頼性が劣化したり、それらのセンサ郡に対するテレビカメラの位置制御の設定が難しいという問題があった。
【００１１】
また、特開平４−１７６４８４号公報「遊技場における監視装置」では、各種センサからなる異常検知手段を各遊技機の近辺に配置する必要があり、予めセンサが配置された箇所しか異常を検知することができず、また、配置された環境によりセンサが故障したり、各種センサとテレビカメラの位置制御の設定が煩雑になるという問題があった。
【００１２】
さらに、特開平１１−２５９７７５号公報「監視システム」では、ワイドカメラは平常画像と比較してその差異から異常を検知する一つのセンサとして機能するものであり、予め設定された幾つかの重要地点にズームカメラを向けるようにしているので、ワイドカメラで撮影された異常箇所に追尾して位置制御および倍率制御ができるようには構成されていない。このため、重要地点が幾つもあるとき、本当に異常事態が発生している重要地点を視覚で確かめなければならない。よって、複数の重要地点の画像を同時に撮影しなければならないという問題があった。
【００１３】
本発明は、上記従来の問題を解決するもので、全方位カメラを用いて複数の重要地点の画像を含めた全方位画像として同時に撮影すると共に、全方位画像のうち指定画像領域をズームカメラにより容易に位置制御してズーム撮影することができる複合カメラシステム、これを用いたズームカメラ制御方法および、これらに用いるズームカメラ制御プログラムを提供するものである。
【００１４】
【課題を解決するための手段】
本発明の複合カメラシステムは、最大周囲３６０°の視野領域を有する全方位画像を撮影する全方位カメラからの全方位画像データのうち所定の一部を中心として、パンおよびチルト駆動による位置制御とズーム駆動による倍率制御とを行うようにズームカメラを駆動制御する制御部と、該全方位カメラで撮影された全方位画像および該ズームカメラで撮影されたズーム画像を表示可能とする表示部とを有しており、該制御部は、該表示部の表示画面上に表示された全方位画像が円形状である場合、その全方位画像を同心円状で放射状の複数の画像領域に分割する分割部と、該分割部で分割され、該全方位画像が該表示部に表示された複数の画像領域から一つの領域枠または所定数の領域枠と領域番号とで明示された画像領域を、自動により指定可能とするかまたは、手動による該領域番号の操作入力により指定可能とする指定部と、該指定部で指定された画像領域に対して該ズームカメラを所定の位置および倍率に制御するための制御情報に変換する変換部と、該変換部で変換された制御情報に基づいて、該指定部で指定された画像領域を撮影する位置および倍率に該ズームカメラを駆動制御するズームカメラ制御部と、該全方位画像のうち周囲の環境によって不安定に撮影される任意の画像領域を予め無効に設定可能とし、無効に設定した画像領域に対して該指定部による指定を無効にすると共に、該無効に設定した画像領域を識別できるように該表示部に識別表示する無効領域設定部とを備えたものであり、そのことにより上記目的が達成される。
【００１６】
さらに、好ましくは、本発明の複合カメラシステムにおける全方位カメラは、放物面状または双曲面状の凸型回転体ミラーおよび魚眼レンズの何れかを用いて全方位画像を投影する光学系を有する。
【００１７】
さらに、好ましくは、本発明の複合カメラシステムにおいて、全方位画像を複数に分割した各画像領域に対して、ズームカメラを所定の位置および倍率に制御するための制御情報を予め設定可能とする制御情報設定部と、予め設定された制御情報を各画像領域の位置に対応して記憶する制御情報テーブルとを更に備え、変換部は、指定部により指定された画像領域に対する制御情報を制御情報テーブルまたは／および所定算出手順により求める。
【００１８】
さらに、好ましくは、本発明の複合カメラシステムにおいて、全方位カメラにより撮影された全方位画像をフレーム単位で順次一時記憶する画像記憶部と、この画像記憶部にフレーム単位で相前後して記憶された全方位画像のパターンマッチングにより移動体の動きを検知する移動体検知部とを更に備え、検知した移動体をズームカメラによりズーム撮影し、その移動体の拡大画像を表示部の表示画面上に表示可能とする。
【００１９】
さらに、好ましくは、本発明の複合カメラシステムにおける表示部は、分割した各画像領域を明示する領域枠を全方位画像に付加して表示画面に対して表示可能とする。
【００２０】
さらに、好ましくは、本発明の複合カメラシステムにおける分割部は、分割した各画像領域を明示する領域枠および領域番号を全方位画像に付加して表示部の表示画面に対して表示可能とし、制御情報設定部は、領域番号を付加した各画像領域毎にズームカメラを所定の位置および倍率に駆動制御するための制御情報を予め設定可能とする。
【００２２】
さらに、好ましくは、本発明の複合カメラシステムにおいて、全方位画像に対して少なくとも一つの監視領域を設定可能とする監視領域設定部と、移動体が監視領域に侵入したとき、警報情報を出力する警報情報出力部とを更に備え、ズームカメラは、監視領域に侵入した移動体をズーム撮影して表示部の表示画面に対して表示可能とする。
【００２３】
さらに、好ましくは、本発明の複合カメラシステムにおける全方位カメラおよびズームカメラが有線または無線による通信回線を介して接続されるリモートコントローラを更に備え、全方位カメラにより撮影された全方位画像とズームカメラによりズーム撮影された画像とを通信回線を介してリモートコントローラに伝送可能とする。
【００２４】
さらに、好ましくは、本発明の複合カメラシステムにおけるリモートコントローラは少なくとも前記分割部、指定部および変換部を含む。
【００２５】
本発明のズームカメラ制御方法は、最大周囲３６０°の視野領域を有する全方位画像を撮影する全方位カメラからの全方位画像データのうち所定の一部を中心として、位置制御と倍率制御を行うようにズームカメラを駆動制御するズームカメラ制御方法であって、該全方位カメラで撮影された全方位画像を表示画面上に表示する表示ステップと、表示された全方位画像が円形状である場合、その全方位画像を同心円状で放射状の複数の画像領域に分割する分割ステップと、該分割ステップで分割され、該全方位画像が表示部に表示された複数の画像領域から一つの領域枠または所定数の領域枠と領域番号とで明示された画像領域を、自動により指定可能とするかまたは、手動による該領域番号の操作入力により指定可能とする指定ステップと、指定された画像領域に対して該ズームカメラを所定の位置および倍率に制御するための制御情報に変換する変換ステップと、変換された制御情報に基づいて、該ズームカメラに対して、指定された画像領域を撮影する位置および倍率に駆動制御するズームカメラ制御ステップと、該全方位画像のうち周囲の環境によって不安定に撮影される任意の画像領域を予め無効に設定可能とし、無効に設定した画像領域に対して該指定ステップによる指定を無効にすると共に、該無効に設定した画像領域を識別できるように該表示部に識別表示する無効領域設定ステップとを含むものであり、そのことにより上記目的が達成される。
【００２６】
本発明のズームカメラ制御プログラムは、全方位カメラにより撮影された全方位画像を表示画面上に表示する表示ステップと、表示された全方位画像が円形状である場合、その全方位画像を同心円状で放射状の複数の画像領域に分割する分割ステップと、該分割ステップで分割され、該全方位画像が表示部に表示された複数の画像領域から一つの領域枠または所定数の領域枠と領域番号とで明示された画像領域を、自動により指定可能とするかまたは、手動による該領域番号の操作入力により指定可能とする指定ステップと、指定された画像領域に対して該ズームカメラを所定の位置および倍率に制御するための制御情報に変換する変換ステップと、変換された制御情報に基づいて、該ズームカメラに対して、指定された画像領域を撮影する位置および倍率に駆動制御するズームカメラ制御ステップと、該全方位画像のうち周囲の環境によって不安定に撮影される任意の画像領域を予め無効に設定可能とし、無効に設定した画像領域に対して該指定ステップによる指定を無効にすると共に、該無効に設定した画像領域を識別できるように該表示部に識別表示する無効領域設定ステップとをコンピュータに実行させるものであり、そのことにより上記目的が達成される。
【００２７】
上記構成により、以下その作用を説明する。
【００２８】
全方位カメラからの全方位画像データのうち所定の一部を中心として、位置制御と倍率制御を行うようにズームカメラを駆動制御し、その全方位画像およびズーム画像を表示するので、全方位カメラを用いて複数の重要地点の画像を含めた全方位画像として同時に表示画面上に撮影すると共に、全方位画像のうち指定画像領域をズームカメラによりズーム撮影することも可能となる。よって、ズームカメラの位置設定は、全方位画像のうち所定の画像領域を指定すればよいので処理が容易である。
【００２９】
また、最大周囲３６０°の視野領域を全方位カメラで撮影した全方位画像を複数の画像領域に分割し、その分割した複数の画像領域から注目画像領域を自動または手動で領域指定するので、その指定した注目画像領域を、パン、チルトおよびズーム駆動が可能なズームカメラによりズーム撮影することが可能となる。この場合、１台の全方位カメラで広範囲の監視領域を撮影できるので、自動指定のために複数の監視センサ、例えば複数の検知センサまたは入力センサを設置する必要がない。
【００３０】
さらに、全方位画像を複数領域に分割した各画像領域自体を複数の検知センサまたは入力センサとして、自動または手動により指定した各画像領域に対する制御情報を算出し、その制御情報に基づいてズームカメラに対して所定の位置（撮影方向）および倍率になるように駆動制御することが可能となる。
【００３１】
さらに、ズームカメラは、全方位カメラにより撮影された全方位画像に含まれる移動体を追尾してズーム撮影し、その移動体の拡大画像を表示部の表示画面上に表示することが可能となる。
【００３２】
さらに、円形状の全方位画像領域を分割して、その分割した各画像領域に対してズームカメラを所定の位置および倍率に制御するための制御情報を予め設定するとき、円形状の全方位画像領域を有効に分割し、かつ分割した画像領域を判り易く表示することが可能となる。
【００３３】
さらに、表示部の表示画面上に表示した全方位画像を見ながら、領域番号を付加した各画像領域に対してズームカメラを所定の位置および倍率に駆動制御するための制御情報を予め設定することが可能となる。
【００３４】
さらに、全方位画像のうち周囲の環境によって不安定に撮影される画像領域を予め無効にすることができるので、全方位画像から移動体や異常箇所を正確に自動検知し、検知した移動体や異常箇所にズームカメラを正確に位置制御および倍率制御することが可能となる。
【００３５】
さらに、１台の全方位カメラで撮影方向の異なる複数の監視領域を設定することができ、移動体が監視領域に侵入したとき警報音を含む警報情報を出力すると共に移動体をズーム撮影して表示部の表示画面上に表示することが可能となる。
【００３６】
さらに、コンピュータが設置された場所で、通信回線を介して全方位カメラおよびズームカメラを遠隔制御しながら、全方位カメラで撮影した最大周囲３６０°の視野領域画像を複数の画像領域に分割し、その分割した複数の画像領域に対しズームカメラを所定の位置および倍率に制御するための制御情報を予め設定し、その設定した制御情報に基づいて、パン、チルトおよびズーム駆動が可能なズームカメラからその指定した画像領域を含む拡大画像を取得して表示画面上に表示することが可能となる。
【００３７】
【発明の実施の形態】
以下、本発明の複合カメラシステムの一実施形態について図面を参照しながら説明する。なお、本発明は本実施形態による具体的な限定によって限定されるものでない。
【００３８】
図１は本発明の複合カメラシステムの一実施形態における基本構成を示す概略構成図である。
【００３９】
図１において、複合カメラシステム１０は、ズームカメラ１と、全方位カメラ２と、リモートコントローラ３と、ズームカメラ制御部を構成するズームカメラ制御ユニット４と、モニタ装置５と、これらの間を通信可能にそれぞれ接続している通信回線６ａ〜６ｄとを有している。
【００４０】
ズームカメラ１は、例えばズームレンズ、ＣＣＤ部からなる撮像部（撮影部）、パン（水平方向）、チルト（垂直方向）およびズーム（倍率）をそれぞれ駆動制御する駆動部、制御信号や画像信号を無線または有線を介して通信する通信部などを含んでおり、ズームカメラ制御ユニット４から送信されてくる制御情報に基づいて位置（パンおよびチルト）および倍率（ズーム）が駆動制御される。例えば、
ズーム比    ：光学ズーム２３倍、電子ズーム１０倍
ズーム速度  ：ＭＡＸ１．６秒（プリセット時）
プリセット数：２５５（２５５個の位置・倍率）
とする。
【００４１】
全方位カメラ２は、最大周囲３６０°の視野領域の光学像を投影する光学系（凸型回転体ミラーまたは魚眼レンズなど）、その光学像を円形状の全方位画像として撮影するＣＣＤ部などの撮像部（撮影部）などから構成されている。例えば、検知範囲（監視領域）として全方位カメラ２から半径約１５ｍとする。
【００４２】
リモートコントローラ３は、例えば有線または無線により通信可能なパーソナルコンピュータで構成されており、全方位カメラ２で撮影された全方位画像を複数の画像領域に分割する画像領域分割手段（分割部）と、この画像領域分割手段にて分割された複数の画像領域から一つの画像領域（または複数の画像領域）を自動または手動により指定できる画像領域指定手段（指定部）と、この画像領域指定手段で指定された画像領域に対してズームカメラ１を所定の位置（パンおよびチルト）および倍率に駆動制御するための制御情報に変換する制御情報変換手段（変換部）と、全方位カメラ２により撮影された全方位画像を表示画面上に表示する表示手段（表示部）とを有している。
【００４３】
ズームカメラ制御ユニット４は、例えばＣＰＵ、ＲＯＭ、ＲＡＭ、Ｉ／Ｏポートからなるコンピュータで構成され、リモートコントローラ３から与えられる制御情報に基づいてズームカメラ１の位置および倍率を駆動制御する。また、ズームカメラ制御ユニット４は、他の各部への有線または無線による通信機能を備えている。
【００４４】
モニタ装置５は、表示画面が例えば液晶ディスプレイ（ＬＣＤ）、プラズマ・ディスプレイ（ＰＤ）、またはエレクトロ・ルミネンス・ディスプレイ（ＥＬＤ）などで構成されており、ズームカメラ１によりズーム撮影された画像を表示するものである。
【００４５】
通信回線６ａ〜６ｄのうち通信回線６ａは、全方位カメラ２とリモートコントローラ３とをＮＴＳＣ方式により通信接続する通信回線を示しており、全方位カメラ２により撮影された全方位画像をリモートコントローラ３に伝送するためのものである。また、通信回線６ｂは、リモートコントローラ３とズームカメラ制御ユニット４とをＲＳ−２３２Ｃ方式により通信接続する通信回線を示しており、ズームカメラ１を所定の位置（撮影方向）および倍率に駆動制御するための制御情報をズームカメラ制御ユニット４に伝送するためのものである。さらに、通信回線６ｃは、ズームカメラ制御ユニット４とズームカメラ１とをＲＳ−４８５方式により通信接続する通信回線を示しており、ズームカメラ制御ユニット４は、その制御情報に基づいてズームカメラ１に対して、指定された画像領域をズーム撮影する位置および倍率に駆動制御するためのものである。さらに、通信回線６ｄは、ズームカメラ１とモニタ装置５とをＮＴＳＣ方式により通信接続する通信回線を示しており、ズームカメラ１でズーム撮影した画像情報をモニタ装置５に対して伝送するためのものである。
【００４６】
なお、本実施形態では、ズームカメラ制御ユニット４は、個別に設けているが、リモートコントローラ３側に組み込んでもよいし、ズームカメラ１側に組み込んでもよい。また、ズームカメラ１と全方位カメラ２とは、無線または有線でデータ通信できる機能を予め有している。
【００４７】
図２は、図１の複合カメラシステム１０を利用した監視システムの一例を示す図である。なお、図１と同じ構成部材には同符合を付す。
【００４８】
図２において、複合カメラシステム１０は、例えば、学校の校庭／校門／体育館／昇降口、駐車場、オフィス、店舗、マンションおよび遊技場などの各監視場所を全方位カメラ２で死角なく広域範囲（視野角３６０°）を常時監視し、侵入者Ｍを検知したとき、ズームカメラ１で侵入者Ｍの方向に位置制御して所定の倍率にてズーム撮影し、リモートコントローラ３の表示部として個別に配置したモニタ装置５に画像表示するように構成している。なお、侵入者Ｍの拡大画像は、リモートコントローラ３およびモニタ装置５の各表示画面上に共に表示され得るようにすることもできる。
【００４９】
ここでは、ズームカメラ１と全方位カメラ２を、例えば図２のような学校の玄関の軒先に設置し、全方位カメラ２により校庭の校門に侵入した侵入者Ｍを検知し、ズームカメラ１によりその侵入者Ｍをズーム撮影し、侵入者Ｍの拡大画像を監視ルーム内に設置したモニタ装置５に表示する。
【００５０】
また、図１に示すような全方位カメラ２を遠隔制御するリモートコントローラ３、ズームカメラ１を位置および倍率制御するズームカメラ制御ユニット４、リモートコントローラ３、ズームカメラ１および全方位カメラ２などと通信接続する通信回線６ａ〜６ｄなどは図２では図示していないが、当然、監視ルーム内に配置されている。
【００５１】
図３は、図１の複合カメラシステム１０の要部構成を示すブロック図である。なお、図１と同じ構成部材には同符合を付す。
【００５２】
図３において、前述したように、複合カメラシステム１０は、ズームカメラ１と、全方位カメラ２と、リモートコントローラ３と、ズームカメラ制御部としてのズームカメラ制御ユニット４と、モニタ装置５と、通信回線６（６ａ〜６ｄ）と、警報情報出力装置７とを有している。
【００５３】
ズームカメラ１は、ＣＣＤ部からなる撮像部１ａ（撮影部）と、パン（水平方向）、チルト（垂直方向）およびズーム（倍率）駆動制御する駆動部１ｂと、制御信号や画像信号を無線または有線にて通信する通信部１ｃとを有し、ズームカメラ制御ユニット４から送信される制御情報に基づいて、位置（撮影方向）および倍率が駆動制御される。駆動部１ｂは、例えばパルスモータ、直流サーボモータ、超音波モータ、エンコーダなどで構成されており、高速の３次元方向の自動位置・倍率制御機能を有している。
【００５４】
全方位カメラ２は、図４に示すように、光学系２ａと、ＣＣＤ部を含む撮像部（撮影部）２ｂと、制御信号や画像信号を無線または有線を介して情報通信する通信部２ｃとを有している。
【００５５】
光学系２ａは、例えば放物面状または双曲面状などの凸型回転体ミラーや魚眼レンズ、撮像部２ｂとしてのＣＣＤカメラを保持する筒状または椀状透光体などで構成され、最大視野角度３６０°の全方位にわたる光学像（例えば、凸型回転体ミラーの反射光をレンズで投影して得られる光学像や魚眼レンズで投影して得られる光学像）を投影するように構成している。
【００５６】
撮像部２ｂは、例えば撮影レンズ、ＣＣＤ部、Ａ／Ｄ変換回路および画像処理回路を含むＣＣＤカメラで構成され、光学系２ａにより投影された光学像を全方位画像データとして撮影するように構成している。
【００５７】
ズームカメラ制御ユニット４は、例えばＣＰＵ、ＲＯＭ、ＲＡＭ、Ｉ／Ｏポートからなるコンピュータで構成されており、無線または有線を介して情報通信する通信機能をさらに備え、通信回線６を介して、リモートコントローラ３から伝送されてくる制御情報に基づいてズームカメラ１の位置および倍率を制御するようになっている。
【００５８】
モニタ装置５は、例えば液晶ディスプレイ（ＬＣＤ）、プラズマ・ディスプレイ（ＰＤ）、またはエレクトロ・ルミネンス・ディスプレイ（ＥＬＤ）などの各種表示装置で構成されており、無線または有線を介してデータ通信する情報通信機能をさらに備え、ズームカメラ１によりズーム撮影された拡大画像をリモートコントローラ３から受信して、それを表示画面上に表示するものである。
【００５９】
通信回線６は、例えばＮＴＳＣ方式、ＲＳ−２３２Ｃ方式、ＲＳ−４８５方式による各データ信号をそれぞれ伝送する通信回線で構成されている。なお、通信回線６としては、IrDAControl方式の赤外線信号やBluetooth方式の電波信号など特定の近距離空中伝播信号により無線通信する無線ＬＡＮで構成してもよい。
【００６０】
警報情報出力装置７は、例えばブザー、スピーカ、警報ランプなどから構成されており、例えば侵入者Ｍなどの移動体が監視領域に侵入したとき、警報音および警報ランプ光を含む警報情報を出力するものである。
【００６１】
リモートコントローラ３は、制御部３ａと、プログラムメモリ３ｂと、バッファメモリ３ｃと、画像記憶部３ｄと、表示部３ｅと、制御情報テーブル３ｆと、操作入力装置３ｇと、通信部３ｈと、これら各部のデータを伝送するためのバス３ｉとを有している。
【００６２】
制御部３ａはコンピュータのＣＰＵ（中央演算処理装置）で構成され、制御プログラムに基づいて、複合カメラシステム１０を構成する各部を制御するようになっている。なお、制御部３ａの詳細な構成については後述する。
【００６３】
プログラムメモリ３ｂは、例えばＲＯＭ、ＥＰＲＯＭ、ＥＥＰＲＯＭ、フロッピー（登録商標）ディスクおよびハードディスクなどの可読記録媒体で構成されており、制御部３ａを起動して各種機能を実行させるための制御プログラムを可読記録媒体内に記憶している。
【００６４】
バッファメモリ３ｃは、例えばＲＡＭ、ＥＰＲＯＭ、ＥＥＰＲＯＭ、フロッピー（登録商標）ディスクおよびハードディスクなどの可読記録媒体で構成され、制御中のデータを一時記憶可能としている。
【００６５】
画像記憶部３ｄは、例えばＲＡＭ、ＥＰＲＯＭ、ＥＥＰＲＯＭ、フロッピー（登録商標）ディスクおよびハードディスクなどの可読記録媒体で構成されており、全方位カメラ２により撮影された全方位画像をフレーム単位で順次一時記憶可能としている。
【００６６】
表示部３ｅは、例えば液晶ディスプレイ（ＬＣＤ）、プラズマ・ディスプレイ（ＰＤ）、またはエレクトロ・ルミネンス・ディスプレイ（ＥＬＤ）などで構成されており、全方位カメラ２により撮影された全方位画像をその表示画面上に表示する。
【００６７】
制御情報テーブル３ｉは、例えばＲＡＭ、ＥＰＲＯＭ、ＥＥＰＲＯＭ、フロッピー（登録商標）ディスクおよびハードディスクなどの可読記録媒体で構成されており、制御情報設定部３ｆにより予め設定された制御情報を各画像領域に対応して記憶する。
【００６８】
操作入力装置３ｇは、例えばマウスおよびキーボードなどで構成されている。
【００６９】
通信部３ｈは、例えば無線信号を送受信するアンテナ、モデム（信号変復調装置）、無線信号変換回路、通信回線接続回路などで構成されており、通信回線６を介して、全方位カメラ２、ズームカメラ制御ユニット４、モニタ装置５および警報情報出力装置７などと通信接続可能に構成されている。
【００７０】
ここで、上記制御部３ａの詳細な構成について説明する。制御部３ａは、分割部３１ａと、指定部３２ａと、制御情報設定部３３ａと、変換部３４ａと、移動体検知部３５ａと、無効領域設定部３６ａと、監視領域設定部３７ａと、カーソル制御部３８ａとを有し、全方位カメラ２からの全方位画像データのうち所定の一部を中心として、パンおよびチルト駆動による位置制御とズーム駆動による倍率制御とを行うようにズームカメラ１をズームカメラ制御ユニット４を介して駆動制御する。
【００７１】
分割部３１ａは、制御プログラムのうち分割プログラムに基づいて、全方位画像を例えば同心円状および放射状に分割し、分割した各画像領域を明示する領域枠と領域番号を全方位画像の各画像領域に付加して表示する。
【００７２】
指定部３２ａは、操作入力装置３ｇからの操作指定指令と制御プログラムのうち指定プログラムに基づいて、表示された複数の画像領域から一つの領域枠（または所定数の領域枠）と領域番号で明示された画像領域を自動または手動により指定する。
【００７３】
制御情報設定部３３ａは、操作入力装置３ｇからの操作設定指令と制御プログラムのうち制御情報設定プログラムとに基づいて、全方位画像を複数に分割して領域番号を付加した各画像領域毎にズームカメラ１を所定の位置および倍率に制御するための制御情報を予め設定する。
【００７４】
変換部３４ａは、制御プログラムのうち変換プログラムに基づいて、指定部３２ａで指定された画像領域に対してズームカメラ１を所定の位置および倍率に制御するための制御情報に変換する。また、変換部３４ａは、変換プログラムに基づいて、指定部３２ａにより指定された画像領域に対する制御情報を制御情報テーブル３ｆから求めることまたは／および所定算出手順により算出することにより得る。
【００７５】
移動体検知部３５ａは、制御プログラムのうち移動体検知プログラムに基づいて、画像記憶部３ｄにフレーム単位で相前後して記憶された全方位画像（前後のフレーム画像）のパターンマッチングにより差分画像を作成し、この差分画像から移動体（例えば侵入者Ｍなど画像変化させる物体を含む）の動きを検知し、検知した移動体をズームカメラ１によりズーム撮影し、その移動体の拡大画像をモニタ装置５または／および表示部３ｅの表示画面上に表示する。
【００７６】
無効領域設定部３６ａは、操作入力装置３ｇからの操作設定指令と制御プログラムのうち無効領域設定プログラムとに基づいて、全方位画像のうち周囲の環境によって不安定に撮影（画像変化）される任意の画像領域を予め無効に設定する。また、無効領域設定部３６ａにより無効に設定された画像領域を識別できるように表示部３ｅに表示し、指定部３２ａによる指定を無効にすることができる。
【００７７】
監視領域設定部３７ａは、操作入力装置３ｇからの操作設定指令と制御プログラムのうち監視領域設定プログラムとに基づいて、全方位画像に対して少なくとも一つの監視領域を設定する。なお、無効領域設定部３６ａにより無効に設定された画像領域以外は監視領域としてもよい。
【００７８】
カーソル制御部３８ａは、操作入力装置３ｇからの操作指令と制御プログラムのうちカーソル制御プログラムとに基づいて、表示画面上のカーソルの位置を制御する。
【００７９】
以上の本実施形態の複合カメラシステム１０を監視システムに適用することにより、下記の効果（１）〜（５）を奏するものである。
【００８０】
（１）全方位カメラ２により、死角がない周囲３６０°監視が可能になる。
【００８１】
（２）全方位カメラ２と通常のズームカメラ１とを組み合わせて高画質なズームアップ画像を高速表示させることができる。
【００８２】
（３）自動追尾機能として、全方位カメラ２で移動体を検知し、通常のズームカメラ１でその移動体をズームアップ撮影することができる。
【００８３】
（４）全方位カメラ２により、広範囲なエリア検知が可能になる。
【００８４】
（５）手動追尾機能として、全方位画像の指定位置を中心に高速にズームアップ撮影することができる。
【００８５】
以上の制御プログラムとしては、全方位カメラにより撮影された全方位画像を表示画面上に表示する表示ステップと、表示された全方位画像を複数の画像領域に分割する分割ステップと、複数の各分割画像領域から少なくとも一つの画像領域を自動または手動により指定する指定ステップと、指定された画像領域に対して該ズームカメラを所定の位置および倍率に制御するための制御情報に変換する変換ステップとが所定の可読記録媒体（プログラムメモリ３ｂ）に記憶されていると共に、変換された制御情報に基づいて、ズームカメラ１に対して、指定部３２ａで指定された画像領域を撮影するための位置および倍率に駆動制御するズームカメラ制御ステップが所定の可読記録媒体（ズームカメラ制御ユニット４内の記憶部）に記憶されており、少なくともこれらの各ステップをコンピュータに実行させるものである。これらの各ステップ以外に、例えば、制御情報設定ステップと、移動体検知ステップと、無効領域設定ステップと、監視領域設定ステップと、これらの各ステップで特定された画像領域を指定する指定ステップと、警報情報出力制御ステップと、ズーム画像表示ステップなどがある。
【００８６】
図４は、図１の全方位カメラ２の光学系における要部構成を説明するための斜視図である。
【００８７】
図４において、全方位カメラ２の光学系２ａとしては、Ｚ軸を中心に双曲線を回転して得られる２葉双曲面のうち、一方（Ｚ＞０の領域）の双曲面の凸状面側に鏡面を形成した凸型回転体ミラーで構成されている。
【００８８】
この双曲面は、
｛（Ｘ2＋Ｙ2）／ａ2｝−Ｚ2／ｂ2＝−１
ｃ2＝（ａ2＋ｂ2）
で表される。
【００８９】
なお、ここでａおよびｂは双曲面の形状を定義する定数であり、ｃはその焦点の位置を定義する定数である。これらの関係式および各定数は全方位画像をパノラマ画像や透視画像に変換するための変換情報に含まれ、例えば、図３に示すプログラムメモリ３ｂ内に予め記憶されている。
【００９０】
この凸型回転体ミラーは二つの焦点位置▲１▼および▲２▼を有しており、外部から一方の焦点位置▲１▼に向かう光は、凸型回転体ミラーからなる光学系２ａで反射され、全て他方の焦点位置▲２▼に向かうという特徴を有している。
【００９１】
したがって、凸型回転体ミラーの回転軸と撮像部２ｂの撮影レンズ（カメラレンズ）の光軸とを一致させると共に、他方の焦点位置▲２▼に撮影レンズの第１主点を配置することにより、撮像部２ｂで撮像された画像が、一方の焦点位置▲１▼を視点中心として視野方向によって視点位置が変わらない画像となる。
【００９２】
図５は、本発明の実施形態による制御情報設定画面の表示例（１）を示す図である。
【００９３】
図５では、表示部３ｅの表示画面上に表示されたウィンドウ画面５１を示している。このウィンドウ画面５１には、表示された円形状の全方位画像５２と、この全方位画像５２を複数エリアに分割し、その分割した画像領域毎に領域番号（プリセット番号）を付加するときに、マウスやキーボードの操作入力により制御情報設定部３３ａが起動されたときのプルダウンメニュー５３とが表示されている。
【００９４】
図６は、本発明の実施形態による制御情報設定画面の表示例（２）を示す図である。
【００９５】
図６では、表示部３ｅの表示画面上に表示されたウィンドウ画面６１を示している。このウィンドウ画面６１には、一部円形状の全方位画像６２と、この全方位画像６２を複数エリアに分割し、その分割した画像領域毎に領域番号（プリセット番号）を付加するとき、マウスやキーボードの操作により制御情報設定部３３ａが起動され、全方位画像６２を同心円状および放射状にそれぞれ等分に分割する数値を入力するためのウィンドウ画面６３とが表示されている。
【００９６】
ここでは、５段階の同心円に分割し、５段階の同心円上に含まれる画像領域の個数を示す（分割後の各領域は図７参照）。ここでは、全方位画像６２を２５５個の画像領域に分割する。
【００９７】
図７は、本発明の実施形態による制御情報設定画面の表示例（３）を示す図である。
【００９８】
図７では、表示部３ｅの表示画面上に表示されたウィンドウ画面７１を示している。このウィンドウ画面７１には、円形状の全方位画像７２と、図６に示すウィンドウ画面６３で入力された数値に基づいて、分割部３１ａにより全方位画像７２を同心円状および放射状にそれぞれ等分に分割した画像領域枠７３と、分割された各画像領域毎に付加した各領域番号表示７４とが表示されている。なお、図７では領域番号（１〜２５５）の一部しか示していないが、実際には全画像領域枠に対して領域番号（１〜２５５）がそれぞれ対応して表示される。
【００９９】
各画像領域毎の領域番号（１〜２５５）とズームカメラ１を所定の位置および倍率に駆動制御するための制御情報とを対応させている。ここでは、全方位画像７２を２５５個の画像領域に分割し、ズームカメラ１を領域番号（１〜２５５）のうちの任意の位置、任意の例えば２５５ポジションにズーム駆動することが可能である。
【０１００】
図８は、本発明の実施形態による移動体検知画面の表示例（４）を示す図である。
【０１０１】
図８では、表示部３ｅの表示画面上に表示されたウィンドウ画面８１を示している。このウィンドウ画面８１には、隠れている部分円形状の全方位画像８２と、移動体検知部３５ａにより画像記憶部３ｄにフレーム単位で相前後して記憶された全方位画像８２のパターンマッチングにより移動体の動きを検知するための差分データ画像８３（画像変化部分が白色で示されている）と、ある基準に基づいて差分データ画像を指示（その白色部分の面積が所定比率以上など）する縦横のカーソル線８４，８５と、縦横のカーソルの交差点８６（移動体位置）とが表示されている。これを自動指定すれば、この画像領域をズームカメラ１によりズーム撮影するための制御情報に自動変換することができる。
【０１０２】
図９は、本発明の実施形態による無効領域設定画面の表示例（５）を示す図である。
【０１０３】
図９では、表示部３ｅの表示画面上に表示されたウィンドウ画面９１を示している。このウィンドウ画面９１には、円形状の全方位画像９２と、図６に示すウィンドウ画面６３で入力された数値に基づいて、分割部３１ａにより全方位画像９２を等分に分割した画像領域枠９３と、無効領域設定部３６ａにより、全方位画像９２のうち周囲の環境によって不安定に撮影される任意の画像領域を予め無効に設定した画像領域９４とが表示されている。無効領域設定部３６ａにより無効に設定された画像領域は、指定部３２ａによる画像領域の指定、または変換部３４ａによる制御情報の変換が行われない。
【０１０４】
図１０は、図１の複合カメラシステム１０の基本動作手順を示すフローチャートである。
【０１０５】
図１０に示すように、まず、ステップＳ１で全方位画像を撮影する。即ち、全方位カメラ２を用いて、全方位カメラ２が設置された周囲３６０°の視野領域の全方位画像を撮影する。
【０１０６】
次に、ステップＳ２で、撮影された全方位画像を表示部３ｅの表示画面上に表示する。
【０１０７】
さらに、ステップＳ３で、全方位画像に対する制御情報設定動作か否かを判定する。ステップＳ３で制御情報設定動作であれば（ＹＥＳ）、ステップＳ１６の処理に進み、制御情報設定動作ではないであれば（ＮＯ）、次のステップＳ４の処理に進む。
【０１０８】
ステップＳ４で、自動指定によるズーム撮影か否かを判定する。ステップＳ４でズーム撮影であれば（ＹＥＳ）、次のステップＳ５の処理に進み、ステップＳ４でズーム撮影でなければ（ＮＯ）、ステップＳ１５の処理に進む。
【０１０９】
ステップＳ５で、無効領域設定部３６ａにより予め無効に設定された画像領域があるか否かを判定する。ステップＳ５で無効設定画像領域があれば（ＹＥＳ）、次のステップＳ６の処理に進み、ステップＳ５で無効設定画像領域がなければ（ＮＯ）、次のステップＳ７の処理に進む。
【０１１０】
ステップＳ６で、無効に設定された画像領域を除いた全方位画像を画像記憶部３ｄにフレーム単位で順次一時記憶し、次のステップＳ８の処理に進む。
【０１１１】
ステップＳ７では、ステップＳ５で無効設定画像領域がない場合（ＮＯ）に、全画像領域の全方位画像を画像記憶部３ｄにフレーム単位で順次一時記憶する。
【０１１２】
ステップＳ８では、ステップＳ６，７の処理後に、移動体検知部３５ａを用いて、全方位画像中に位置ずれした画像データ（差分画像データ）があるか否かを調べる。ステップＳ８で位置ずれした画像データがあれば（ＹＥＳ）、移動体が検知されたとして、次のステップＳ９の処理に進み、位置ずれした画像データがなければ（ＮＯ）、移動体未検知として、ステップＳ６の処理に戻る。ここでは、移動体の動きにより発生する画像データの位置ずれを、画像記憶部３ｄにフレーム単位で相前後して記憶（前後のフレーム画像を記憶）された全方位画像データのパターンマッチングにより差分画像を作成し、この差分画像から移動体の有無を検知する。
【０１１３】
ステップＳ９で、指定部３２ａを用いて、所定以上の大きさで位置ずれした画像データが全方位画像上のどの画像領域を中心に存在するかをカーソルで追尾し、位置ずれした画像データに対応する画像領域の領域番号を順次指定する。
【０１１４】
ステップＳ１０で、変換部３４ａを用いて、指定された画像領域の領域番号を予め設定された制御情報に変換する。
【０１１５】
ステップＳ１１で、通信部３ｈを用いて、通信回線６を介し、変換した制御情報をズームカメラ制御ユニット４に送信する。
【０１１６】
ステップＳ１２で、ズームカメラ制御ユニット４は、通信回線６を介して、受信した制御情報に基づいてズームカメラ１の位置および倍率を駆動制御する。
【０１１７】
ステップＳ１３で、ズームカメラ１により目的の画像領域をズーム撮影する。
【０１１８】
ステップＳ１４で、ズーム撮影された画像をモニタ装置５の表示画面上に表示して処理を終了する。
【０１１９】
次に、ステップＳ１５において、ステップＳ４でズーム撮影でなければ（ＮＯ）、マウスからの入力異定指令が入力される指定部３２ａによって、ズームカメラ１によりズーム撮影したい画像領域の領域番号を指定した後に、ステップＳ１０の処理にジャンプする。
【０１２０】
また、ステップＳ１６において、ステップＳ３で制御情報設定動作のとき（ＹＥＳ）、分割部３１ａを用いて、表示部３ｅに表示した全方位画像を同心円状および放射状に分割し、分割した各画像領域を明示する領域枠およびそれ毎の領域番号を全方位画像に付加する。
【０１２１】
ステップＳ１７で、ステップＳ１６の処理後に、制御情報設定部３３ａを用いて、領域番号を付加した各画像領域毎にズームカメラ１を所定の位置および倍率に駆動制御するための制御情報を予め設定する。
【０１２２】
ステップＳ１８で、ステップＳ１７の処理後に、設定した制御情報を制御情報テーブル３ｆに記憶し、ステップＳ４の処理に移行する。
【０１２３】
以上により、本実施形態の複合カメラシステム１０によれば、パン、チルトおよびズーム駆動が可能なズームカメラ１と、最大周囲３６０°の視野領域を有する光学像を投影する光学系２ａと光学像を全方位画像として撮影する撮影部２ｂを持つ全方位カメラ２と、撮影された全方位画像を表示する表示部３ｅと、表示された全方位画像を複数の画像領域に分割する分割部３１ａと、複数の画像領域から少なくとも一つの画像領域を自動または手動により指定する指定部３２ａと、指定された画像領域に対してズームカメラ１を所定の位置および倍率に制御するための制御情報に変換する変換部３４ａと、変換された制御情報に基づいてズームカメラ１を指定された画像領域をズーム撮影する位置および倍率に制御するズームカメラ制御部４とを備えることによって、全方位カメラを用いて複数の重要地点の画像を含めた全方位画像として同時に表示画面上に撮影すると共に、全方位画像のうち所望の指定画像領域をズームカメラによりズーム撮影することができる。
【０１２４】
なお、本実施形態では、全方位カメラ２およびズームカメラ１が有線または無線による通信回線６を介して接続されるリモートコントローラ３を設けた場合について説明したが、これに限らず、リモートコントローラ３とズームカメラ制御ユニット４を合体させるかまたは、リモートコントローラ３を単にコントローラとして全方位カメラ２およびズームカメラ１の近傍位置に設けるようにしてもよい。
【０１２５】
【発明の効果】
以上により、本発明によれば、全方位カメラからの全方位画像データのうち所定の一部を中心として、位置制御と倍率制御を行うようにズームカメラを駆動制御し、その全方位画像およびズーム画像を表示するため、全方位カメラを用いて複数の重要地点の画像を含めた全方位画像として同時に表示画面上に撮影すると共に、全方位画像のうち指定画像領域をズームカメラによりズーム撮影することができる。したがって、ズームカメラの位置設定を、全方位画像のうち所定の画像領域を指定することにより容易に行うことができる。
【０１２６】
また、最大周囲３６０°の視野領域を全方位カメラで撮影した全方位画像を複数の画像領域に分割し、その分割した複数の画像領域から注目画像領域を自動または手動で領域指定するため、その指定した注目画像領域を、パン、チルトおよびズーム駆動が可能なズームカメラによりズーム撮影することができる。この場合、１台の全方位カメラで広範囲の監視領域を撮影できるため、自動指定のために複数の監視センサ、例えば複数の検知センサまたは入力センサを設置する必要がない。
【０１２７】
さらに、全方位画像を複数領域に分割した各画像領域自体を複数の検知センサまたは入力センサとして、自動または手動により指定した各画像領域に対する制御情報を算出し、その制御情報に基づいてズームカメラに対して所定の位置（撮影方向）および倍率になるように駆動制御することができる。
【０１２８】
さらに、ズームカメラは、全方位カメラにより撮影された全方位画像に含まれる移動体を追尾してズーム撮影し、その移動体の拡大画像を表示部の表示画面上に表示することができる。
【０１２９】
さらに、円形状の全方位画像領域を分割して、その分割した各画像領域に対してズームカメラを所定の位置および倍率に制御するための制御情報を予め設定するとき、円形状の全方位画像領域を有効に分割し、かつ分割した画像領域を判り易く表示することができる。
【０１３０】
さらに、表示部の表示画面上に表示した全方位画像を見ながら、領域番号を付加した各画像領域に対してズームカメラを所定の位置および倍率に駆動制御するための制御情報を予め設定することができる。
【０１３１】
さらに、全方位画像のうち周囲の環境によって不安定に撮影される画像領域を予め無効にすることができるため、全方位画像から移動体や異常箇所を正確に自動検知し、検知した移動体や異常箇所にズームカメラを正確に位置制御および倍率制御することができる。
【０１３２】
さらに、１台の全方位カメラで撮影方向の異なる複数の監視領域を設定することができ、移動体が監視領域に侵入したとき警報音を含む警報情報を出力すると共に移動体をズーム撮影して表示部の表示画面上に表示することができる。
【０１３３】
さらに、コンピュータが設置された場所で、通信回線を介して全方位カメラおよびズームカメラを遠隔制御しながら、全方位カメラで撮影した最大周囲３６０°の視野領域画像を複数の画像領域に分割し、その分割した複数の画像領域に対しズームカメラを所定の位置および倍率に制御するための制御情報を予め設定し、その設定した制御情報に基づいて、パン、チルトおよびズーム駆動が可能なズームカメラからその指定した画像領域を含む拡大画像を取得して表示画面上に表示することができる。
【図面の簡単な説明】
【図１】本発明の複合カメラシステムの一実施形態における基本構成を示す概略構成図である。
【図２】図１の複合カメラシステムを利用した監視システムの一例を示す図である。
【図３】図１の複合カメラシステムの要部構成を示すブロック図である。
【図４】図１の全方位カメラの光学系における要部構成を説明するための斜視図である。
【図５】本発明の実施形態による制御情報設定画面の表示例（１）を示す図である。
【図６】本発明の実施形態による制御情報設定画面の表示例（２）を示す図である。
【図７】本発明の実施形態による制御情報設定画面の表示例（３）を示す図である。
【図８】本発明の実施形態による移動体検知画面の表示例（４）を示す図である。
【図９】本発明の実施形態による無効領域設定画面の表示例（５）を示す図である。
【図１０】図１の複合カメラシステムの基本動作手順を示すフローチャートである。
【符号の説明】
１    ズームカメラ
１ａ    撮影部
１ｂ    駆動部
１ｃ    通信部
２    全方位カメラ
２ａ    光学系
２ｂ    撮影部
２ｃ    通信部
３      リモートコントローラ
３ａ    制御部
３１ａ    分割部
３２ａ    指定部
３３ａ    制御情報設定部
３４ａ    変換部
３５ａ    移動体検知部
３６ａ    無効領域設定部
３７ａ    監視領域設定部
３８ａ    カーソル制御部
３ｂ    プログラムメモリ
３ｃ    バッファメモリ
３ｄ    画像記憶部
３ｅ    表示部
３ｆ    制御情報テーブル
３ｇ    操作入力部
３ｈ    通信部
４    ズームカメラ制御ユニット（ズームカメラ制御部）
５    モニタ装置
６    通信回線
７    警報情報出力装置
１０    複合カメラシステム
【図１】
0004100934.tif 000002
【図２】
0004100934.tif 000003
【図３】
0004100934.tif 000004
【図４】
0004100934.tif 000005
【図５】
0004100934.tif 000006
【図６】
0004100934.tif 000007
【図７】
0004100934.tif 000008
【図８】
0004100934.tif 000009
【図９】
0004100934.tif 000010
【図１０】
0004100934.tif 000011